(57)【要約】【課題】地上波デジタル放送受信機において、チャンネル番号が重複する域内及び域外の放送局から放送信号を受信可能な場合に、放送局の選択を容易にすることにある。【解決手段】同一チャンネル番号が割り当てられた域内及び域外の放送局から放送信号を受信する地上波デジタル放送受信機において、チャンネル番号の選択と枝番号の選択とをリモートコントローラの第１ボタン群と第２ボタン群とに割り当て、複数の枝番号を有するチャンネル番号を選択した場合には、各枝番号をＯＳＤ表示することを特徴とする、地上波デジタル放送受信機。【選択図】      図５
2004320243.tif 000002
【特許請求の範囲】
【請求項１】
同一チャンネル番号が割り当てられた域内及び域外の放送局から放送信号を受信する地上波デジタル放送受信機において、
チャンネル番号の選択をリモートコントローラの数字ボタン又はアップダウンボタンに割り当て、枝番号の選択をリモートコントローラの十字ボタンに割り当て、
複数の枝番号を有するチャンネル番号を選択した場合には、域内の放送局を表示して各枝番号をＯＳＤ表示することを特徴とする、
地上波デジタル放送受信機。
【請求項２】
同一チャンネル番号が割り当てられた域内及び域外の放送局から放送信号を受信する地上波デジタル放送受信機において、
チャンネル番号の選択と枝番号の選択とをリモートコントローラの第１ボタン群と第２ボタン群とに割り当て、複数の枝番号を有するチャンネル番号を選択した場合には、各枝番号をＯＳＤ表示することを特徴とする、地上波デジタル放送受信機。
【請求項３】
複数の枝番号を有するチャンネル番号が選択された場合には、域内の放送局を表示する、請求項２に記載の地上波デジタル放送受信機。
【請求項４】
前記第２ボタン群は、前記リモートコントローラの十字ボタンである、請求項２又は３に記載の地上波デジタル放送受信機。
【請求項５】
前記第１ボタン群は、前記リモートコントローラのアップダウンボタン又は数字ボタンである、請求項２から４のいずれかに記載の地上波デジタル放送受信機。
【発明の詳細な説明】
【０００１】
【発明の属する技術分野】
本発明は、地上波デジタル放送受信機、特に、同一チャンネル番号が割り当てられた域内及び域外の複数の放送局から放送信号を受信する地上波デジタル放送受信機に関する。
【０００２】
【従来の技術】
地上波デジタル放送では、各都道府県において域内の放送局ごとに３桁のチャンネル番号が割り当てられ、域外において近隣の都道府県では重複するチャンネル番号が放送局に割り当てられる場合がある。従って、越境受信が可能な場合、域内及び域外の同一のチャンネル番号の複数の放送局から放送を受信する場合がある。これらを区別するために、複数の同一チャンネル番号の複数の放送局を枝番号により区別、すなわち、３桁のチャンネル番号に枝番号を付加した擬似的な４桁番号によって区別している。
【０００３】
このような地上波デジタル放送では、枝番号が多くなるほど放送局の数が増えることになり、リモートコントローラ（以下、リモコンと称す）のチャンネル選択用のアップダウンボタンで放送局を選択すると非常に繁雑になる。
【０００４】
特許文献１には、放送局の選択をリモートコントローラ（以下、リモコンと称す）の上下ボタンに割り当て、放送局から送られてくる複数の番組の選択をリモコンの左右ボタンに割り当てることにより、番組選択の操作向上を図るデジタル放送受信機が記載されている。また、このデジタル放送受信機では、現在選択中の放送局及び前後の放送局と、現在選択中の番組及び番組一覧と、矢印とをＯＳＤ表示することにより、視覚的に操作の補助を行っている。
【０００５】
特許文献２には、同一のメインチャンネルにアナログ放送及びデジタル放送の複数の番組とが割り当てられ、それぞれがサブチャンネルによって区別される場合に、メインチャンネル及びサブチャンネルを結合したチャンネル番号をマトリクス状にＯＳＤ表示するとともに、左右ボタンでメインチャンネルを選択し、上下ボタンでサブチャンネルの選択をすることにより、階層的な構造のチャンネル番号の選択を容易にするデジタル放送受信機が記載されている。
【０００６】
【特許文献１】
特開２００１−２５７６１０号公報（第３−４頁、第３図）
【０００７】
【特許文献２】
特開２００２−２２３３９６号公報（第５−７頁、第３図）
【０００８】
【発明が解決しようとする課題】
特許文献１に記載のデジタル放送受信機では、放送局の選択及び番組の選択については記載されているが、地上波デジタル放送の越境受信における同一３桁番号の放送局の選択については記載されていない。
【０００９】
また、特許文献２に記載のデジタル放送受信機でも、アナログ放送及びデジタル放送の複数の番組の選択については記載されているが、地上波デジタル放送の越境受信における同一３桁番号の放送局の選択については記載されていない。
【００１０】
本発明の目的は、地上波デジタル放送受信機において、チャンネル番号が重複する域内及び域外の放送局から放送信号を受信可能な場合に、放送局の選択を容易にすることにある。
【００１１】
【課題を解決するための手段】
第１発明に係る地上波デジタル放送受信機は、同一チャンネル番号が割り当てられた域内及び域外の放送局から放送信号を受信する地上波デジタル放送受信機において、チャンネル番号の選択をリモートコントローラの数字ボタン又はアップダウンボタンに割り当て、枝番号の選択をリモートコントローラの十字ボタンに割り当て、複数の枝番号を有するチャンネル番号を選択した場合には、域内の放送局を表示して各枝番号をＯＳＤ表示することを特徴とする。
【００１２】
この受信機では、チャンネル数が多い場合でも、チャンネル番号の選択を数字ボタン又はアップダウンボタンに分担させ、枝番号の選択を十字ボタンに割り当て、数字ボタン又はアップダウンボタンによりチャンネル番号を選択し、選択されたチャンネル番号の枝番号のみを表示し、十字ボタンにより枝番号を選択するので、放送局の選択を効率的に行うことができる。
【００１３】
この地上波デジタル放送受信機によれば、チャンネル番号を選択する場合に、まず、多くのユーザにとって選択の可能性が高い域内の放送局を選択することにより、第２ボタン群による枝番号の選択の頻度を低減し、放送局の選択をより効率的に行うことができる。
【００１４】
また、ＯＳＤ表示された枝番号を十字ボタンで枝番号を選択するので、枝番号の選択が容易である。
【００１５】
第２発明に係る地上波デジタル放送受信機は、同一チャンネル番号が割り当てられた域内及び域外の放送局から放送信号を受信する地上波デジタル放送受信機において、チャンネル番号の選択と枝番号の選択とをリモートコントローラの第１ボタン群と第２ボタン群とに割り当て、複数の枝番号を有するチャンネル番号を選択した場合には、各枝番号をＯＳＤ表示することを特徴とする。
【００１６】
この受信機では、チャンネル数が多い場合でも、チャンネル番号の選択と枝番号の選択とを第１ボタン群と第２ボタン群に分担させ、第１ボタン群によりチャンネル番号を選択し、選択されたチャンネル番号の枝番号のみを表示し、第２ボタン群により枝番号を選択するので、放送局の選択を効率的に行うことができる。
【００１７】
第３発明に係る地上波デジタル放送受信機は、第２発明に係る地上波デジタル受信機において、複数の枝番号を有するチャンネル番号が選択された場合には、域内の放送局を表示する。
【００１８】
この地上波デジタル放送受信機によれば、第１ボタン群によってチャンネル番号を選択する場合に、まず、多くのユーザにとって選択の可能性が高い域内の放送局を選択することにより、第２ボタン群による枝番号の選択の頻度を低減し、放送局の選択をより効率的に行うことができる。
【００１９】
第４発明に係る地上波デジタル放送受信機は、第２又は第３発明のいずれかに係る地上波デジタル放送受信機において、第２ボタン群はリモートコントローラの十字ボタンである。
【００２０】
第５発明に係る地上波デジタル放送受信機は、第２から第４発明のいずれかに係る地上波デジタル放送受信機において、第１ボタン群はリモートコントローラのアップダウンボタン又は数字ボタンである。
【００２１】
【発明の実施の形態】
（１）構成
図１は、本発明の一実施形態に係る地上波デジタル放送受信機１の機能ブロック図である。
【００２２】
この受信機１は、チューナ２と、デジタルデコーダ３と、ＯＳＤ回路４と、メモリ５と、制御部６と、操作部７と、赤外線受信部８とを備えている。チューナ２は、所望のチャンネルに対応する周波数帯域の地上波デジタル放送信号を受信する。具体的には、チューナ２は、アンテナ９により受信される放送信号の供給を受け、ユーザが制御部６に入力した指令に応じて３桁のチャンネル番号の選択及び枝番号の選択を行い、入力したチャンネルに対応する周波数帯域の放送信号を受信して、中間周波数（ＩＦ）に変調してデジタルデコーダ３に出力する。デジタルデコーダ３は、チューナ２により受信した放送信号を復号する。ＯＳＤ回路４は、制御部６からの指令により表示装置１１に放送信号を出力するとともに、受信可能な放送局の枝番号及び受信中の放送局名を表示させるためのＯＳＤ表示信号を出力する。メモリ５は、放送信号の各チャンネルの発信周波数やチャンネル構成情報を記憶する。またメモリ５は、ＯＳＤ表示に関する情報を記憶している。制御部６は、ＣＰＵからなり、各部の制御を行う。具体的には、制御部６は、操作部７及び赤外線受信部８により受け付けた指示に応じて、各チャンネルの周波数帯域に関する情報や受信したチャンネル情報をメモリ５に記憶させ、これらの情報をチャンネル選局時等において必要に応じて参照する。また、制御部６は、チャンネル情報を解析して、３桁のチャンネル番号及び１桁の枝番号に関する情報を取得する。表示装置１１は、テレビジョン受像機の表示画面を用いてもよいし、ＣＲＴ、ＬＣＤ、ＰＤＰを用いてもよい。操作部７は、受信機１の本体に設けられたボタン群からユーザの入力を受け付け、ユーザからの入力を制御部６に出力する。赤外線受信部８は、リモコン１０から赤外線を受信し、赤外線に基づく電気信号を制御部６に出力する。
【００２３】
図２は、リモコン１０の模式図である。リモコン１０は、数字ボタン１０１と、十字ボタン１０２と、アップダウンボタン１０３とを有している。数字ボタン１０１は、「０」から「９」までのボタンと、１０と０とが割り当てられたボタンと、１１と※が割り当てられたボタンと、１２と♯が割り当てられたボタンとを有しており、例えば、チャンネル番号を直接入力するために使用される。十字ボタン１０２は、上下ボタン１０２ａと左右ボタン１０２ｂと決定ボタンを含んでおり、例えば、複数の選択肢がＯＳＤ表示されている場合に、上下ボタン１０２ａ及び左右ボタン１０２ｂでカーソルを移動し、決定ボタンにより決定するために使用される。アップダウンボタン１０３は、例えば、チャンネルを順番に変更するために使用される。
（２）地上波デジタル放送の越境受信
図３は、地上波デジタル放送の越境受信を説明するための説明図である。ここでは、受信機１が大阪にある場合を例に説明する。地上波デジタル放送の３桁のチャンネル番号は、ＡＲＩＢの規格により式（１）から求められる。
サービス種別＊２００＋リモコンキーＩＤ＊１０＋（サービス番号＋１）
・・・（１）
ここで、サービス種別はテレビの場合には０である。また、リモコンキーＩＤ＝１、サービス番号＝０の場合は、チャンネル番号は「０１１」である。チャンネル番号の計算は各都道府県ごとに行われ、域内の放送局のチャンネル番号が域外の放送局のチャンネル番号と同一になる場合がある。
【００２４】
図３の例では、大阪府の放送局Ａ、和歌山県の放送局Ｂ及び徳島県の放送局Ｃに３桁の同一チャンネル番号０１１が割り当てられている。大阪府にある受信機１は、域内の放送局Ａに加え、域外の放送局Ｂ、放送局Ｃからも放送信号を受信可能である場合、放送局Ａ〜放送局Ｃはチャンネル番号０１１に加え、枝番号０〜１により区別される。具体的には、域内の放送局Ａには枝番号０、放送局Ｂには枝番号１、放送局Ｃには枝番号２が付加され、擬似的な４桁番号によって各放送局Ａ〜Ｃが区別される。
【００２５】
図４は、地上波デジタル放送の越境受信において放送局を選択する場合の画面例である。ここでは、図３で説明した３つの放送局Ａ，Ｂ，Ｃから放送を受信可能な場合について説明する。
【００２６】
アップダウンボタン１０３によりチャンネル番号０１１を選択すると、デフォルトとして域内の放送局Ａ（枝番号０）の映像が表示されるとともに、画面例（１）に示すように、ロゴ情報２０１と、放送局Ａ〜Ｃに対応する枝番号情報「０」〜「２」がＯＳＤ表示される。ロゴ情報２０１は、現在受信中の放送局のロゴ情報が表示される。このように、選択されたチャンネル番号に複数の枝番号がある場合には、枝番号情報２０２がＯＳＤ表示される。また、画面例（１）では、カーソルが枝番号「０」に重なっており、枝番号「０」（放送局Ａ）が選択されていることを示している。枝番号情報２０２の左右にある矢印の表示は、リモコン１０の左右ボタン１０２ｂによって各枝番号上をカーソルが移動できることを示している。
【００２７】
枝番号を「０」から「１」に変更する場合は、リモコン１０の左右ボタン１０２ｂによりカーソルを移動させ、画面例（２）に示すように枝番号「１」にカーソルを合わせる。画面例（２）では枝番号「１」（放送局Ｂ）の映像が表示されるとともに、放送局Ｂのロゴ情報２０１と、枝番号情報２０２がＯＳＤ表示される。
（３）フローチャート
図５は、枝番号変更の処理のフローチャートである。
【００２８】
ステップＳ１１：チャンネル番号の選択が行われたか否かを判定し、いずれかのチャンネル番号が選択された場合にステップＳ１２に移行し、チャンネル番号の選択が行われていない場合にはステップＳ１１の処理を繰り返す。
【００２９】
ステップＳ１２：ステップＳ１１で選択されたチャンネル番号を有する域内の放送局（枝番号０）に切り換える。
【００３０】
ステップＳ１３：選択された域内の放送局のチャンネル番号に複数の枝番号があるか否かを判定する。選択された域内の放送局のチャンネル番号に複数の枝番号がある場合には、ステップＳ１４に移行する。選択された域内の放送局のチャンネル番号に複数の枝番号がない場合にはリターンする。
【００３１】
ステップＳ１４：図４の画面例に示すように、枝番号情報２０２（複数の枝番号）を表示する。
【００３２】
ステップＳ１５：リモコン１０の左右ボタン１０２ｂが押下されたか否かを判別する。リモコン１０の左右ボタン１０２ｂが押下された場合にはステップＳ１６に移行し、リモコン１０の左右ボタン１０２ｂが押下されていない場合にはリターンする。
【００３３】
ステップＳ１６：リモコン１０の左右ボタン１０２ｂの押下回数に基づいて枝番号を切り換える。
（４）まとめ
以上述べたように、本実施形態に係る地上波デジタル放送受信機では、３桁のチャンネル番号の変更をリモコン１０のアップダウンボタン１０３で行い、選択されたチャンネル番号に複数の枝番号があれば、枝番号をＯＳＤ表示し、リモコン１０の左右ボタン１０２ｂにより枝番号の選択をする。このように、チャンネル番号の選択と枝番号の選択とを別々のボタン群に割り当てることにより、枝番号が多く、受信可能な放送局数が多い場合であっても、放送局の選択を効率よく行うことができる。
【００３４】
また、受信中、すなわち選択中の放送局名をＯＳＤ表示するので、現在選択中の放送局を視覚的に知らせることができる。この結果、放送局の選択をさらに効率よく行うことができる。
【００３５】
また、アップダウンボタン１０３による放送局の選択では、視聴の頻度が高い域内（枝番号０）の放送局を選択するように構成したので、左右ボタン１０２ｂによる枝番号の選択を低減することができ、さらに効率よく放送局の選択をすることができる。
（５）他の実施形態
上記実施形態では、チャンネル番号の選択をリモコン１０のアップダウンボタンに、枝番号の選択をリモコン１０の十字ボタン１０２のうち左右ボタン１０２ｂに割り当てたが、チャンネル番号の選択をリモコン１０の十字ボタン１０２の上下ボタン１０２ａに、枝番号の選択をリモコン１０の十字ボタン１０２の左右ボタン１０２ｂに割り当てても良い。また、枝番号の選択は、数字ボタン１０１によって直接入力するようにしてもよい。また、チャンネル番号の選択及び枝番号の選択を、本体の操作部７のアップダウンボタン、十字ボタンに上記同様に割り当ててもよい。
【００３６】
また、図４では複数の枝番号がある場合に枝番号情報２０２を表示したが、枝番号と放送局名を対応させたリストを表示させても良い。このようにすると、選択できる放送局名を容易に認識することができ、枝番号の選択をさらに容易にすることができる。
【００３７】
【発明の効果】
本発明によれば、地上波デジタル放送受信機において、チャンネル番号が重複する域内及び域外の放送局から放送信号を受信可能な場合に、放送局の選択を容易できる。
【図面の簡単な説明】
【図１】本発明の一実施形態に係る地上波デジタル放送受信機１の機能ブロック図。
【図２】リモコン１０の模式図。
【図３】地上波デジタル放送の越境受信を説明するための説明図。
【図４】地上波デジタル放送の越境受信において放送局を選択する場合の画面例。
【図５】枝番号変更の処理のフローチャート。
【符号の説明】
１  地上波デジタル放送受信機
２  チューナ
３  デジタルデコーダ
４  ＯＳＤ回路
５  メモリ
６  制御部
７  操作部
８  赤外線受信部
９  アンテナ
１０  リモコン
１１  表示装置
１０１  数字ボタン
１０２  十字ボタン
１０３  アップダウンボタン
【図１】
2004320243.tif 000003
【図２】
2004320243.tif 000004
【図３】
2004320243.tif 000005
【図４】
2004320243.tif 000006
【図５】
2004320243.tif 000007